(57)【要約】【課題】静電気を効率よく逃がすことができる遊技機を提供すること。【解決手段】遊技機は、遊技に必要な図柄列を変動表示するリールユニットと、遊技者が操作可能な停止ボタンと、遊技者による停止ボタンの操作に基づいてリールユニットを制御する主制御ユニットと、これらが設けられた筐体と、を備える。筐体は、キャビネットと、このキャビネットを開閉する前面ドア２と、を備え、前面ドア２は、樹脂製のフレーム２１と、このフレーム２１に設けられたドアヒンジ２２と、フレーム２１の少なくとも一側縁に沿って上下方向に延びるサイドカバー２３と、フレーム２１に設けられメダルが貯留されるメダル受け部１６と、を備える。フレーム２１のメダル受け部１６側には、金属製のコインガードプレート２４が設けられ、ドアヒンジ２２及びコインガードプレート２４は、フレーム２１を介さずに互いに接触した状態で、サイドカバー２３に固定される。【選択図】図３
2007307228.tif 000002
【特許請求の範囲】
【請求項１】
遊技に必要な識別情報を変動表示する変動表示手段と、
遊技者が操作可能な操作手段と、
遊技者による前記操作手段の操作に基づいて前記変動表示手段を制御する制御手段と、
これら手段が設けられた筐体と、を備える遊技機であって、
前記筐体は、キャビネットと、このキャビネットを開閉する前面ドアと、を備え、
前記前面ドアは、樹脂製のフレームと、このフレームに設けられたドアヒンジと、前記フレームの少なくとも一側縁に沿って上下方向に延びるサイドカバーと、前記フレームに設けられ遊技媒体が貯留される下皿と、を備え、
前記フレームの前記下皿側には、金属製のプレートが設けられ、
前記ドアヒンジ及び前記プレートは、前記フレームを介さずに互いに接触した状態で、前記サイドカバーに固定されることを特徴とする遊技機。
【請求項２】
請求項１に記載の遊技機において、
前記ドアヒンジ及び前記プレートには、それぞれ、貫通孔が形成され、
前記ドアヒンジ及び前記プレートの貫通孔にねじを挿通して、このねじを前記サイドカバーに螺合することで、前記ドアヒンジ及び前記プレートは、前記フレームを介さずに互いに接触した状態で、前記サイドカバーに固定されることを特徴とする遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
このような遊技機は、例えば、本体筐体と、この本体筐体を開閉する前面扉体と、を備える（例えば、特許文献１参照）。
前面扉体は、ヒンジ部を介して本体筐体に支持される樹脂製の扉体基部と、この扉体基部に設けられた開口に着脱自在に取り付けられる種々の機能部材と、で構成される。
機能部材としては、例えば、スピーカ装置などが設けられた上部ユニット、リールを操作するための操作部ユニット、前面扉体を本体筐体で支持するためのヒンジ部、扉体基部の両側に設けられるサイドランプユニット、及び、コイントレーが設けられた下部ユニットがある。
【０００４】
ところで、上述したような各種機能部材の中には、金属製の部材がある。金属製の部材には静電気が蓄積し易いため、このような金属製の部材をアース（接地）する必要がある。
そこで、本体筐体にアース線を設け、このアース線をヒンジ部に接続する。これにより、各金属製の部材は、樹脂製の扉体基部を介してヒンジ部に導通しているから、金属製の機能部材に溜まった静電気を、樹脂製の扉体基部、ヒンジ部、及びアース線を介して、接地できる。
【特許文献１】特開２００４−２４３９１号公報
【発明の開示】
【発明が解決しようとする課題】
【０００５】
しかしながら、樹脂製の扉体基部を伝って静電気を逃がすため、静電気を効率よく逃がすことが困難であった。
【０００６】
本発明の目的は、静電気を効率よく逃がすことができる遊技機を提供することである。
【課題を解決するための手段】
【０００７】
本発明では、以下のようなものを提供する。
【０００８】
（１）  遊技に必要な識別情報（例えば、後述の図柄列）を変動表示する変動表示手段（例えば、後述のリールユニット７３）と、遊技者が操作可能な操作手段（例えば、後述の停止ボタン７Ｌ，７Ｃ，７Ｒ）と、遊技者による前記操作手段の操作に基づいて前記変動表示手段を制御する制御手段（例えば、後述の主制御ユニット７１）と、これら手段が設けられた筐体（例えば、後述の筐体４）と、を備える遊技機（例えば、後述の遊技機１）であって、前記筐体は、キャビネット（例えば、後述のキャビネット６０）と、このキャビネットを開閉する前面ドア（例えば、後述の前面ドア２）と、を備え、前記前面ドアは、樹脂製のフレーム（例えば、後述のフレーム２１）と、このフレームに設けられたドアヒンジ（例えば、後述のドアヒンジ２２）と、前記フレームの少なくとも一側縁に沿って上下方向に延びるサイドカバー（例えば、後述のサイドカバー２３）と、前記フレームに設けられ遊技媒体が貯留される下皿（例えば、後述のメダル受け部１６）と、を備え、前記フレームの前記下皿側には、金属製のプレート（例えば、後述のコインガードプレート２４）が設けられ、前記ドアヒンジ及び前記プレートは、前記フレームを介さずに互いに接触した状態で、前記サイドカバーに固定されることを特徴とする遊技機。
【０００９】
（１）記載の遊技機によれば、ドアヒンジ及びプレートを、フレームを介さずに互いに接触した状態で、サイドカバーに固定した。よって、直接、金属製の部材同士を接触させることができるので、従来のような樹脂製のフレームを介して静電気を逃がす場合に比べ、静電気を効率よく逃がすことができる。
【００１０】
（２）  （１）に記載の遊技機において、前記ドアヒンジ及び前記プレートには、それぞれ、貫通孔（例えば、後述の貫通孔２２２，２４１）が形成され、前記ドアヒンジ及び前記プレートの貫通孔にねじ（例えば、後述のねじ２３１）を挿通して、このねじを前記サイドカバーに螺合することで、前記ドアヒンジ及び前記プレートは、前記フレームを介さずに互いに接触した状態で、前記サイドカバーに固定されることを特徴とする遊技機。
【００１１】
（２）記載の遊技機によれば、ドアヒンジ及びプレートに、それぞれ、貫通孔を形成し、ドアヒンジ及びプレートの貫通孔にねじを挿通して、このねじをサイドカバーに螺合することで、ドアヒンジ及びプレートを、フレームを介さずに互いに接触した状態で、サイドカバーに固定した。よって、ドアヒンジ、サイドカバー、及びプレートを、確実に固定できるうえに、ねじが静電気の導通路となるので、静電気をさらに効率よく逃がすことができる。
【発明の効果】
【００１２】
本発明の遊技機によれば、ドアヒンジ及びプレートを、フレームを介さずに互いに接触した状態で、サイドカバーに固定した。よって、直接、金属製の部材同士を接触させることができるので、従来のような樹脂製のフレームを介して静電気を逃がす場合に比べ、静電気を効率よく逃がすことができる。
【発明を実施するための最良の形態】
【００１３】
以下、実施例の遊技機について説明する。
【実施例】
【００１４】
図１は、本発明の一実施例の遊技機１の外観を示す斜視図である。遊技機１は、いわゆる「パチスロ機」である。この遊技機１は、コイン、メダル、遊技球又はトークンなどの他、遊技者に付与された、もしくは付与される遊技価値の情報を記憶したカード等の遊技媒体を用いて遊技する遊技機であるが、以下ではメダルを用いるものとして説明する。
【００１５】
遊技機１の全体を形成している筐体４は、箱状のキャビネット６０と、このキャビネット６０を開閉する前面ドア２と、を備える。
この前面ドア２の正面には、両側縁に沿って上下方向に延びるサイドカバー２３が設けられ、これらサイドカバー２３に挟まれた中央部分には、略水平面の台座部１０が形成されている。この台座部１０の直上には、縦長矩形の表示窓４Ｌ，４Ｃ，４Ｒが設けられる。
表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００１６】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口１９にメダルを投入することにより、それぞれ１本、３本、５本が有効化される。どの表示ラインが有効化されたかは、後で説明するＢＥＴランプ９ａ，９ｂ，９ｃの点灯で表示される。
【００１７】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００１８】
前面ドア２の裏面には、複数のリール３Ｌ，３Ｃ，３Ｒと、これらリール３Ｌ，３Ｃ，３Ｒを回転駆動するステッピングモータと、を収容するリールユニット７３がミドルドア４０を介して取り付けられている（図２）。なお、前面ドア２の裏面については、後に図２を参照して詳述する。
【００１９】
各リール３Ｌ，３Ｃ，３Ｒには、それぞれの外周面に、遊技に必要な複数種類の図柄によって構成される識別情報としての図柄列が描かれており、各々はリールユニット７３に回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００２０】
表示窓４Ｌ，４Ｃ，４Ｒの上方には、液晶表示部５ａ、情報表示部１８、及びスピーカ９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数などを表示する。また、スピーカ９Ｌ，９Ｒは、効果音や音声等の音による演出を行う。
【００２１】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００２２】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００２３】
この台座部１０の水平面内のうち、右側にはメダル投入口１９が設けられ、左側には１−ＢＥＴスイッチ１１、２−ＢＥＴスイッチ１２、及び最大ＢＥＴスイッチ１３が設けられる。
【００２４】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００２５】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｃ内での図柄の変動表示を開始するためのスタートレバー６が所定の角度範囲で回動自在に取り付けられている。
【００２６】
台座部１０の前面部の略中央には、３個のリール３Ｌ，３Ｃ，３Ｒの回転をそれぞれ停止させるための３個の操作手段としての停止ボタン７Ｌ，７Ｃ，７Ｒが設けられている。なお、実施例では、一のゲーム（単位遊技）は、基本的にスタートレバー６が操作されることにより開始し、全てのリール３Ｌ，３Ｃ，３Ｒが停止したときに終了する。
【００２７】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００２８】
前面ドア２下部の正面には、メダルが払出されるメダル払出口１５と、この払出されたメダルを貯留する下皿としてのメダル受け部１６とが設けられている。また、前面ドア２下部の正面のうち、停止ボタン７Ｌ，７Ｃ，７Ｒとメダル受け部１６とに上下を挟まれた面には、機種のモチーフに対応したデザインがあしらわれた腰部パネル２０が取り付けられている。
【００２９】
図２を参照して、前面ドア２の裏面の構成について説明する。
図２は、前面ドア２の裏面の構成を示す斜視図である。
【００３０】
前面ドア２は、この前面ドア２の本体を形成する前面ドア本体２ｂと、この前面ドア本体２ｂの裏面に開放可能に設けられたミドルドア４０と、を備える。
【００３１】
前面ドア本体２ｂには、サブベース４２を介して副制御ユニット７２が設けられ、ミドルドア４０には、制御手段としての主制御ユニット７１及び変動表示手段としてのリールユニット７３が設けられる。
【００３２】
サブベース４２は、板状の部材であり、前面ドア２の前面に設けられた液晶表示部５ａを覆うようにして、前面ドア本体２ｂの裏面に、複数のねじ４２１で取り付けられる。サブベース４２は、前面ドア２の裏面に対し略平行に取り付けられる。また、サブベース４２の表面のうち、液晶表示部５ａを覆う領域は、略平らに形成されている。
【００３３】
副制御ユニット７２は、液晶表示部５ａを制御する副制御回路７２１と、この副制御回路７２１を収容しサブベース４２の略平らに形成された領域に取り付けられる副制御回路収容ケース７２２と、液晶表示部５ａの画像表示に必要な画像情報が記憶されたＲＯＭカートリッジ７２３と、このＲＯＭカートリッジ７２３を覆うＲＯＭカバー７２４と、を備える。
【００３４】
ミドルドア４０は、略矩形状の部材であり、図２中上部と下部とに分けられる。ミドルドア４０上部は、主制御ユニット７１を支持する主制御ユニットベース４０１であり、ミドルドア４０下部は、リールユニット７３を支持するリールユニットベース４０２である。
【００３５】
主制御ユニットベース４０１は、主制御ユニット７１を水平に支持する主制御ユニット支持部４０８と、主制御ユニット支持部４０８の上端に形成されたＲＯＭカバー７２４の一部を覆うプレート４０４と、を備える。
【００３６】
主制御ユニット７１は、副制御ユニット７２やリールユニット７３等を制御する主制御回路７１１と、主制御回路７１１を収容しミドルドア４０の主制御ユニット支持部４０８に取り付けられる主制御回路収容ケース７１２と、を備える。
【００３７】
リールユニットベース４０２は、リールユニット７３を支持するリールユニット支持部４０９と、このリールユニット支持部４０９の図２中左側の端縁に設けられたミドルドア把持部４０７と、リールユニット支持部４０９のミドルドア把持部４０７の反対側の端縁（図２中右側の端縁）に設けられた回動軸部（図示省略）と、を備える。前面ドア本体２ｂの裏面には、ミドルドア４０の回動軸部を回転自在に支持する支持部４３が設けられ、これにより、ミドルドア４０を開閉可能となっている。
【００３８】
前面ドア本体２ｂの下部には、正常なメダルと不正常なメダルとを振り分けるメダルセレクタ４７Ａと、メダルが通過するシュート４７Ｂと、がさらに設けられている。
【００３９】
図３は、前面ドア２下部の断面図である。図４は、前面ドア２下部の一部を裏面側から視た図である。
前面ドア２の前面ドア本体２ｂは、樹脂製のフレーム２１と、このフレーム２１に設けられた金属製のドアヒンジ２２と、を備える。
また、フレーム２１には、上述のサイドカバー２３やメダル受け部１６が取り付けられる。
【００４０】
ドアヒンジ２２は、プレートを加工して形成される。このドアヒンジ２２には、図４に示すように、一部を折り曲げ加工することにより、導電部２２１が形成されている。導電部２２１には、貫通孔２２２が形成されている。
メダル受け部１６は、フレーム２１に取り付けられる。
フレーム２１のメダル受け部１６側には、金属製のプレートとしてのコインガードプレート２４が設けられる。コインガードプレート２４には、貫通孔２４１が形成されている。
サイドカバー２３は、樹脂製であり、ねじ２３１が螺合されるねじ穴２３２が形成されている。
ドアヒンジ２２の貫通孔２２２及びコインガードプレート２４の貫通孔２４１に、前面ドア２の裏面側からねじ２３１を挿通して、このねじ２３１をサイドカバー２３のねじ穴２３２に螺合することで、ドアヒンジ２２及びコインガードプレート２４は、フレーム２１を介さずに互いに接触した状態で、サイドカバー２３に固定されている。
【００４１】
本実施例によれば、ドアヒンジ２２及びコインガードプレート２４を、フレーム２１を介さずに互いに接触した状態でサイドカバー２３に固定した。よって、直接、金属製の部材同士を接触させることができるので、従来のような樹脂製のフレームを介して静電気を逃がす場合に比べ、静電気を効率よく逃がすことができる。
【００４２】
また、ドアヒンジ２２及びコインガードプレート２４に、それぞれ、貫通孔２２２，２４１を形成し、ドアヒンジ２２の貫通孔２２２及びコインガードプレート２４の貫通孔２４１にねじ２３１を挿通して、このねじ２３１をサイドカバー２３のねじ穴２３２に螺合することで、ドアヒンジ２２及びコインガードプレート２４を、フレーム２１を介さずに互いに接触した状態でサイドカバー２３に固定した。よって、ドアヒンジ２２、サイドカバー２３、及びコインガードプレート２４を、確実に固定できるうえに、ねじ２３１が静電気の導通路となるので、静電気をさらに効率よく逃がすことができる。
【００４３】
以上、実施例について説明したが、本発明はこれに限られるものではない。
例えば、本実施例のような遊技機１の他、パチンコ遊技機、パチロット等の他の遊技機にも本発明を適用できる。
【図面の簡単な説明】
【００４４】
【図１】本発明の一実施例の遊技機の外観を示す斜視図である。
【図２】前記遊技機を構成する前面ドアの裏面の構成を示す斜視図である。
【図３】前記前面ドア下部の断面図である。
【図４】前記前面ドア下部の一部を裏面側から視た図である。
【符号の説明】
【００４５】
１    遊技機
２    前面ドア
４    筐体
７Ｌ，７Ｃ，７Ｒ    停止ボタン（操作手段）
１６    メダル受け部（下皿）
２１    フレーム
２２    ドアヒンジ
２３    サイドカバー
２４    コインガードプレート（プレート）
６０    キャビネット
７１    主制御ユニット（制御手段）
７３    リールユニット（変動表示手段）
２２２    貫通孔
２４１    貫通孔
２３１    ねじ
【図１】
2007307228.tif 000003
【図２】
2007307228.tif 000004
【図３】
2007307228.tif 000005
【図４】
2007307228.tif 000006